(57)【要約】  本開示の実施例は、アップリンク伝送電力制御方法、装置、機器及び記憶媒体を提供する。前記方法において、端末が、配置情報を受信し、配置情報に基づいて、第１ＴＴＩ長に対応するＰＣパラメータおよび第２ＴＴＩ長に対応するＰＣパラメータを特定することと、前記端末が、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することとを含む。【選択図】  図２
2019520776.tif 000002
【特許請求の範囲】
【請求項１】
端末が、配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することと、
前記端末が、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することとを含むアップリンク伝送電力制御方法。
【請求項２】
前記第１ＴＴＩ長は、１つのサブフレームのＴＴＩ長であり、前記第２ＴＴＩ長は、１つのサブフレームより短いＴＴＩ長であり、
または、前記第１ＴＴＩ長は、短縮ＴＴＩ長であり、前記第２ＴＴＩ長は、正常ＴＴＩ長であり、
または、前記第１ＴＴＩ長は、第１短縮ＴＴＩ長であり、前記第２ＴＴＩ長は、第２短縮ＴＴＩ長である請求項１に記載の方法。
【請求項３】
前記端末が、配置情報を受信し、配置情報に基づいて、第１ＴＴＩ長に対応するＰＣパラメータおよび第２ＴＴＩ長に対応するＰＣパラメータを特定することは、
前記端末が、ＲＲＣ（Ｒａｄｉｏ  Ｒｅｓｏｕｒｃｅ  Ｃｏｎｔｒｏｌ）またはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することを含む請求項１に記載の方法。
【請求項４】
ＰＵＳＣＨ（Ｐｈｙｓｉｃａｌ  Ｕｐｌｉｎｋ  Ｓｈａｒｅｄ  Ｃｏｎｔｒｏｌ  Ｃｈａｎｎｅｌ）の場合、ＴＰＣ（Ｔｒａｎｓｍｉｔ  Ｐｏｗｅｒ  Ｃｏｎｔｒｏｌ）累計方式が用いられ、
端末が、配置情報を受信し、配置情報に基づいて、第１ＴＴＩ長に対応するＰＣパラメータおよび第２ＴＴＩ長に対応するＰＣパラメータを特定することは、
前記端末が、アップリングＤＣＩ（Ｄｏｗｎｌｉｎｋ  Ｃｏｎｔｒｏｌ  Ｉｎｆｏｒｍａｔｉｏｎ）フォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値し、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることを含む請求項１に記載の方法。
【請求項５】
端末が、配置情報を受信し、配置情報に基づいて、第１ＴＴＩ長に対応するＰＣパラメータおよび第２ＴＴＩ長に対応するＰＣパラメータを特定することは、
前記端末が、ダウンリンクＤＣＩフォーマット使用のＰＤＳＣＨ（Ｐｈｙｓｉｃａｌ  ｄｏｗｎｌｉｎｋ  Ｓｈａｒｅｄ  Ｃｏｎｔｒｏｌ  Ｃｈａｎｎｅｌ）スケジューリング用のダウンリンク制御チャネル、または、ダウンリンクＳＰＳ（Ｓｅｍｉ−Ｐｅｒｓｉｓｔｅｎｔ  Ｓｃｈｅｄｕｌｉｎｇ）リソース解放を指示するダウンリンク制御チャネルを受信し、前記ＰＤＳＣＨまたは前記ダウンリンクＳＰＳリソース解放を指示するダウンリンク制御チャネルのＡＣＫ／ＮＡＣＫフィードバック情報が目標ＰＵＣＣＨ（Ｐｈｙｓｉｃａｌ  Ｕｐｌｉｎｋ  Ｃｏｎｔｒｏｌ  Ｃｈａｎｎｅｌ）で伝送され、
前記ＰＤＳＣＨまたは前記ダウンリンクＳＰＳリソース解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソース解放を指示するダウンリンク制御チャネルのＴＰＣフィールドに指示される電力調整値と、第１ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソース解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることを含む請求項１に記載の方法。
【請求項６】
端末が、配置情報を受信し、配置情報に基づいて、第１ＴＴＩ長に対応するＰＣパラメータおよび第２ＴＴＩ長に対応するＰＣパラメータを特定することは、
前記端末が、ダウンリンクＤＣＩフォーマット使用のＰＤＳＣＨスケジューリング用のダウンリンク制御チャネル、または、ダウンリンクＳＰＳリソース解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバックが目標ＰＵＣＣＨで行われ、
前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることを含む請求項１に記載の方法。
【請求項７】
前記ＰＵＣＣＨのＴＴＩ長は、前記ダウンリンク制御チャネルで通知され、または、配置シグナリングによって通知され、または所定のルールによって通知される請求項６に記載の方法。
【請求項８】
前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである請求項５または６に記載の方法。
【請求項９】
配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することに用いられる受信モジュールと、
前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することに用いられる制御モジュールとを含むアップリンク伝送電力制御装置。
【請求項１０】
前記第１ＴＴＩ長は、１つのサブフレームのＴＴＩ長であり、前記第２ＴＴＩ長は、１つのサブフレームより短いＴＴＩ長であり、
または、前記第１ＴＴＩ長は、短縮ＴＴＩ長であり、前記第２ＴＴＩ長は、正常ＴＴＩ長であり、
または、前記第１ＴＴＩ長は、第１短縮ＴＴＩ長であり、前記第２ＴＴＩ長は、第２短縮ＴＴＩ長である請求項９に記載の装置。
【請求項１１】
前記受信モジュールは、さらに、
ＲＲＣ（Ｒａｄｉｏ  Ｒｅｓｏｕｒｃｅ  Ｃｏｎｔｒｏｌ）またはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することに用いられる請求項９に記載の装置。
【請求項１２】
ＰＵＳＣＨ（Ｐｈｙｓｉｃａｌ  Ｕｐｌｉｎｋ  Ｓｈａｒｅｄ  Ｃｏｎｔｒｏｌ  Ｃｈａｎｎｅｌ）の場合、ＴＰＣ（Ｔｒａｎｓｍｉｔ  Ｐｏｗｅｒ  Ｃｏｎｔｒｏｌ）累計方式が用いられ、
前記制御モジュールは、さらに、
アップリングＤＣＩ（Ｄｏｗｎｌｉｎｋ  Ｃｏｎｔｒｏｌ  Ｉｎｆｏｒｍａｔｉｏｎ）フォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とし、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることに用いられる請求項９に記載の装置。
【請求項１３】
前記制御モジュールは、さらに、
ダウンリンクＤＣＩフォーマット使用のＰＤＳＣＨ（Ｐｈｙｓｉｃａｌ  ｄｏｗｎｌｉｎｋ  Ｓｈａｒｅｄ  Ｃｏｎｔｒｏｌ  Ｃｈａｎｎｅｌ）スケジューリング用のダウンリンク制御チャネル、または、ダウンリンクＳＰＳ（Ｓｅｍｉ−Ｐｅｒｓｉｓｔｅｎｔ  Ｓｃｈｅｄｕｌｉｎｇ）リソース解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバック情報が目標ＰＵＣＣＨ（Ｐｈｙｓｉｃａｌ  Ｕｐｌｉｎｋ  Ｃｏｎｔｒｏｌ  Ｃｈａｎｎｅｌ）で伝送され、
前記ＰＤＳＣＨまたは前記ダウンリンクＳＰＳリソース解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソース解放を指示するダウンリンク制御チャネルのＴＰＣフィールドに指示される電力調整値と、第１ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソース解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることに用いられる請求項９に記載の装置。
【請求項１４】
前記制御モジュールは、さらに、
ダウンリンクＤＣＩフォーマット使用のＰＤＳＣＨスケジューリング用のダウンリンク制御チャネル、または、ダウンリンクＳＰＳリソース解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバックが目標ＰＵＣＣＨで行われ、
前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることに用いられる請求項９に記載の装置。
【請求項１５】
前記ＰＵＣＣＨのＴＴＩ長は、前記ダウンリンク制御チャネルで通知され、または、配置シグナリングによって通知され、または所定のルールによって通知される請求項１４に記載の装置。
【請求項１６】
前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである請求項１３または１４に記載の装置。
【請求項１７】
配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することと、
前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することの実行に用いられるプロセッサと、
前記プロセッサに接続し、前記プロセッサの制御の下でデータを送受信することに用いられるトランシーバとを含むアップリンク伝送電力制御機器。
【請求項１８】
プロセッサによって実行されるコンピュータ読取可能なコマンドが格納されている不揮発性のコンピュータ記憶媒体であって、
前記コンピュータ読取可能なコマンドがプロセッサに実行されると、
前記プロセッサは、
配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することと、
前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することとを実行する不揮発性のコンピュータ記憶媒体。
【発明の詳細な説明】
【技術分野】
【０００１】
本願は、２０１６年７月１１日に中国特許庁に提出された中国特許出願２０１６１０５４３４６８．４の優先権を主張し、その全ての内容が援用によりここに取り込まれる。
本開示は、通信技術分野に係り、特にアップリンク伝送電力制御方法、装置、機器及び記憶媒体に係る。
【背景技術】
【０００２】
図１には、１つのサブフレームにおけるＬＴＥ（Ｌｏｎｇ  Ｔｅｒｍ  Ｅｖｏｌｕｔｉｏｎ）  ＰＵＳＣＨ（Ｐｈｙｓｉｃａｌ  Ｕｐｌｉｎｋ  Ｓｈａｒｅｄ  Ｃｏｎｔｒｏｌ  Ｃｈａｎｎｅｌ）のデータとパイロット（すなわち参照シンボルまたはデータ復調用のＤＭＲＳ（Ｄｅｍｏｄｕｌａｔｉｏｎ  Ｒｅｆｅｒｅｎｃｅ  Ｓｉｇｎａｌ））の構造が示されている。通常ＣＰ（Ｃｙｃｌｉｃ  Ｐｒｅｆｉｘ）の場合、各サブフレームにおける各タイムスロットの４番目のシンボルは、パイロットの伝送に用いられ、残りのシンボルは、データの伝送に用いられるが、拡張ＣＰの場合、各サブフレームにおける各タイムスロットの３番目のシンボルは、パイロットの伝送に用いられ、残りのシンボルは、データの伝送に用いられる。アップリンクパイロットは、端末専用パイロットであり、ＰＵＳＣＨによってスケジューリングされる実際の帯域幅の大きさに応じて生成される。ＤＭＲＳの送信電力は、データの送信電力とは同一である。アップリンクＭＵ−ＭＩＭＯ（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ）をサポートするために、各列のパイロットにおいて同一のパイロットベースシーケンスに対し循環シフトを行うことによって、同一リソースを共有する複数の端末のパイロットの直交伝送を実現することができる。よって、受信側において、循環シフトによって、それぞれの端末のパイロット情報を区別することができる。
【０００３】
従来のＬＴＥシステムのアップリンク電力制御において、ＬＴＥのアップリンク電力制御が主にチャネルのパスロスおよびシャドウの補償に用いられ、しかもセル間干渉の抑止に用いられる。ＵＥ（Ｕｓｅｒ  Ｅｑｕｉｐｍｅｎｔ）の送信電力は、ｅＮｏｄｅＢから送信されるスロー電力制御指令と、ダウンリンクＲＳ（Ｒｅｆｅｒｅｎｃｅ  Ｓｉｇｎａｌ）によって測定されるパスロス値から算出される。ＰＵＳＣＨ電力制御の計算式は、以下である。
【数１】
2019520776.tif 000003
【０００４】
ＰＵＣＣＨ（Ｐｈｙｓｉｃａｌ  Ｕｐｌｉｎｋ  Ｃｏｎｔｒｏｌ  Ｃｈａｎｎｅｌ）電力制御計算式は、以下である。
【数２】
2019520776.tif 000004
【０００５】
ＬＴＥシステムにおいて、従来のチャネル伝送は、サブフレーム単位で定義される。１ｍｓより短いＴＴＩ（Ｔｒａｎｓｍｉｓｓｉｏｎ  Ｔｉｍｅ  Ｉｎｔｅｒｖａｌ）長で伝送する場合、ｓＴＴＩ（ｓｈｏｒｔ  ＴＴＩ；短縮ＴＴＩ）のＤＭＲＳコストを低下させるために、１つのタイムスロットでの複数のｓＴＴＩ伝送（時間領域で長さが１ｍｓより短いデータ伝送）は、同一の時間領域位置を共有してＤＭＲＳを伝送することができる。したがって、ｓＴＴＩのＤＭＲＳ密度がｎｏｒｍａｌ  ＴＴＩのＤＭＲＳ密度より低く、ｎｏｒｍａｌ  ＴＴＩとｓＴＴＩとのチャネル推定性能上の差が生じ、伝送性能に影響を与える。ＴＴＩ長別に独立的電力制御パラメータ配置を行うことによって、伝送性能の差を減少することができる。しかし、独立的電力制御パラメータの配置方法は、まだ明確化されていない。
【発明の概要】
【発明が解決しようとする課題】
【０００６】
上述した技術課題に鑑み、本開示の実施例は、ＴＴＩ長別の独立的電力制御パラメータ配置が欠けるという従来技術の技術問題を解決するために、アップリンク伝送電力制御方法および装置を提供する。
【課題を解決するための手段】
【０００７】
第１態様として、アップリンク伝送電力制御方法を提供する。前記方法において、端末が、配置情報を受信し、配置情報に基づいて、第１ＴＴＩ長に対応するＰＣパラメータおよび第２ＴＴＩ長に対応するＰＣパラメータを特定することと、前記端末が、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することとを含む。
【０００８】
選択可能に、前記第１ＴＴＩ長は、１つのサブフレームのＴＴＩ長であり、前記第２ＴＴＩ長は、１つのサブフレームより短いＴＴＩ長である。または、前記第１ＴＴＩ長は、短縮ＴＴＩ長であり、前記第２ＴＴＩ長は、正常ＴＴＩ長である。または、前記第１ＴＴＩ長は、第１短縮ＴＴＩ長であり、前記第２ＴＴＩ長は、第２短縮ＴＴＩ長である。
【０００９】
選択可能に、前記端末が、配置情報を受信し、配置情報に基づいて、第１ＴＴＩ長に対応するＰＣパラメータおよび第２ＴＴＩ長に対応するＰＣパラメータを特定することは、前記端末が、ＲＲＣまたはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することを含む。
【００１０】
選択可能に、ＰＵＳＣＨの場合、ＴＰＣ累計方式が用いられ、端末が、配置情報を受信し、配置情報に基づいて、第１ＴＴＩ長に対応するＰＣパラメータおよび第２ＴＴＩ長に対応するＰＣパラメータを特定することは、前記端末が、アップリングＤＣＩフォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とし、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることを含む。
【００１１】
選択可能に、端末が、配置情報を受信し、配置情報に基づいて、第１ＴＴＩ長に対応するＰＣパラメータおよび第２ＴＴＩ長に対応するＰＣパラメータを特定することは、前記端末が、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信し、ここで、前記ＰＤＳＣＨまたは前記ダウンリンクＳＰＳリソースの解放を指示するダウンリンク制御チャネルのＡＣＫ／ＮＡＣＫフィードバック情報が目標ＰＵＣＣＨで伝送され、前記ＰＤＳＣＨまたは前記ダウンリンクＳＰＳリソースの解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソースの解放を指示するダウンリンク制御チャネルのＴＰＣフィールドに指示される電力調整値と、第１ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソースの解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることを含む。
【００１２】
選択可能に、端末が、配置情報を受信し、配置情報に基づいて、第１ＴＴＩ長に対応するＰＣパラメータおよび第２ＴＴＩ長に対応するＰＣパラメータを特定することは、前記端末が、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバックが目標ＰＵＣＣＨで行われ、前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることを含む。
【００１３】
選択可能に、前記ＰＵＣＣＨのＴＴＩ長は、前記ダウンリンク制御チャネルで通知され、または、配置シグナリングによって通知され、または所定のルールによって通知される。
【００１４】
選択可能に、前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである。
【００１５】
第２態様として、アップリンク伝送電力制御装置を提供する。前記装置は、配置情報を受信し、配置情報に基づいて、第１ＴＴＩ長に対応するＰＣパラメータおよび第２ＴＴＩ長に対応するＰＣパラメータを特定することに用いられる受信モジュールと、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することに用いられる制御モジュールとを含む。
【００１６】
選択可能に、前記第１ＴＴＩ長は、１つのサブフレームのＴＴＩ長であり、前記第２ＴＴＩ長は、１つのサブフレームより短いＴＴＩ長である。または、前記第１ＴＴＩ長は、短縮ＴＴＩ長であり、前記第２ＴＴＩ長は、正常ＴＴＩ長である。または、前記第１ＴＴＩ長は、第１短縮ＴＴＩ長であり、前記第２ＴＴＩ長は、第２短縮ＴＴＩ長である。
【００１７】
選択可能に、前記受信モジュールは、さらに、ＲＲＣまたはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することに用いられる。
【００１８】
選択可能に、ＰＵＳＣＨの場合、ＴＰＣ累計方式が用いられ、前記制御モジュールは、さらに、アップリングＤＣＩフォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とし、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることに用いられる。
【００１９】
選択可能に、前記制御モジュールは、さらに、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信する。ここで、前記ＰＤＳＣＨまたは前記ダウンリンクＳＰＳリソースの解放を指示するダウンリンク制御チャネルのＡＣＫ／ＮＡＣＫフィードバック情報は、目標ＰＵＣＣＨで伝送される。
前記制御モジュールは、前記ＰＤＳＣＨまたは前記ダウンリンクＳＰＳリソースの解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソースの解放を指示するダウンリンク制御チャネルのＴＰＣフィールドに指示される電力調整値と、第１ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、
前記ＰＤＳＣＨまたはダウンリンクＳＰＳリソースの解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることに用いられる。
【００２０】
選択可能に、前記制御モジュールは、さらに、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信する。ここで、前記ＰＤＳＣＨまたは前記ダウンリンクＳＰＳリソースの解放を指示するダウンリンク制御チャネルのＡＣＫ／ＮＡＣＫフィードバックは、目標ＰＵＣＣＨで行われる。
前記制御モジュールは、前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、
前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることに用いられる。
【００２１】
選択可能に、前記ＰＵＣＣＨのＴＴＩ長は、前記ダウンリンク制御チャネルで通知され、または、配置シグナリングによって通知され、または所定のルールによって通知される。
【００２２】
選択可能に、前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである。
【００２３】
第３態様として、アップリンク伝送電力制御機器を提供する。当該システムは、配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することと、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することの実行に用いられるプロセッサと、前記プロセッサに接続し、前記プロセッサの制御の下でデータを送受信することに用いられるトランシーバとを含む。
【００２４】
第４態様として、プロセッサによって実行されるコンピュータ読取可能なコマンドが格納されている不揮発性のコンピュータ記憶媒体を提供する。前記コンピュータ読取可能なコマンドがプロセッサに実行されると、前記プロセッサは、配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することと、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することとを実行する。
【発明の効果】
【００２５】
上記技術手段の１つは、以下の利点または有益な効果を有する。端末は、第１ＴＴＩ長に対応するＰＣパラメータに基づいて、第１ＴＴＩ長で伝送されるチャネルの送信電力を特定するとともに、第２ＴＴＩ長に対応するＰＣパラメータに基づいて、第２ＴＴＩ長で伝送されるチャネルの送信電力を特定することによって、第１ＴＴＩ長と第２ＴＴＩ長に独立なＰＣパラメータを配置することを実現し、チャネル推定の正確性を向上させ、データを信頼可能に伝送することを保証する。
【図面の簡単な説明】
【００２６】
【図１】従来のＰＵＳＣＨパイロット構造図である。
【図２】本開示の一部実施例におけるアップリンク伝送電力制御方法のフローチャートである。
【図３】本開示の一部実施例におけるアップリンク伝送電力制御装置のブロック図である。
【図４】本開示の一部実施例におけるアップリンク伝送電力制御装置のブロック図である。
【発明を実施するための形態】
【００２７】
以下、図面を参照して本開示の例示的な実施例をさらに詳細に記載する。図面では本開示の例示的な実施例が示されているが、本開示は、様々な形式で実現でき、ここで記載されている実施例に限定されないと理解すべきである。逆に、これらの実施例を提供することは、本開示をより徹底的に理解してもらうためであり、本開示の範囲を当業者に完全に伝えるためである。
【００２８】
当業者は、本開示の実施形態がシステム、装置、機器、方法またはコンピュータプログラムプロダクトとして実現されうると理解できる。したがって、本開示の実施例は、具体的に、完全にハードウェアの形式、完全にソフトウェア（ファームウェア、常駐ソフトウェア、マイクロコードなどを含む。）の形式、またはハードウェアとソフトウェアを組み合わせた形式で実現されうる。
【００２９】
なお、本開示の明細書、特許請求の範囲および上記図面における「第１」、「第２」などの用語は、類似の対象を区別するために使用され、必ずしも特定の順番や前後順を記述するために使用されるものではない。そのように使用されるデータは、ここに記載された本開示の実施例が、ここに図示または記載された順番以外の順番で実施され得るように、適宜、交換され得ることが理解されるべきである。さらに、「含む」、「有する」およびそれらのあらゆる変形は、例えば一連のステップまたはユニットを非排他的に含み、明確に列挙されず、またはこれらの過程、方法、製品や機器に固有のほかのステップまたはユニットを含んでもよいことが意図される。
【００３０】
なお、本開示の実施例および実施例における特徴は、矛盾することなく互いに組み合わせられてもよい。本開示の技術手段は、以下、図面を参照して実施例に関連して詳細に説明される。
【００３１】
図２に示すアップリンク伝送電力制御方法は、具体的に下記ステップを含む。
【００３２】
ステップ２０１において、端末は、配置情報を受信し、配置情報に基づいて、第１ＴＴＩ長に対応するＰＣ（電力制御）パラメータおよび第２ＴＴＩ長に対応するＰＣパラメータを特定し、それからステップ２０２に進む。
【００３３】
なお、第１ＴＴＩ長は、１つのサブフレームのＴＴＩ長であり、例えば１ｍｓ（ミリ秒）である。第２ＴＴＩ長は、１つのサブフレームより短いＴＴＩ長であり、例えば０．５ｍｓである。または、第１ＴＴＩ長は、短縮ＴＴＩ長であり、例えば０．５ｍｓである。第２ＴＴＩ長は、正常ＴＴＩ長であり、例えば１ｍｓ（ミリ秒）である。または、第１ＴＴＩ長は、第１短縮ＴＴＩ長であり、第２ＴＴＩ長は、第２短縮ＴＴＩ長である。
【００３４】
ステップ２０２において、端末は、第１ＴＴＩ長に対応するＰＣパラメータに基づいて、第１ＴＴＩ長で伝送されるチャネルの送信電力を特定するとともに、第２ＴＴＩ長に対応するＰＣパラメータに基づいて、第２ＴＴＩ長で伝送されるチャネルの送信電力を特定する。
【００３５】
選択可能に、オープンループパラメータの場合、ステップ２０１において、端末は、ＲＲＣ（Ｒａｄｉｏ  Ｒｅｓｏｕｒｃｅ  Ｃｏｎｔｒｏｌ）またはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得する。
【００３６】
選択可能に、オープンループパラメータの場合、ＴＰＣ（Ｔｒａｎｓｍｉｓｓｉｏｎ  Ｐｏｗｅｒ  Ｃｏｎｔｒｏｌ）累計方式が用いられると、ＰＵＳＣＨ（物理アップリンクシェアドチャネル）に対し、端末は、アップリングＤＣＩ（Ｄｏｗｎｌｉｎｋ  Ｃｏｎｔｒｏｌ  Ｉｎｆｏｒｍａｔｉｏｎ）フォーマット使用のＰＵＳＣＨスケジューリング用のダウンリンク制御チャネルを受信し、前記ダウンリンク制御チャネルのＴＰＣフィールドに指示される電力調整値と、前記ＰＵＳＣＨと同一種類のＴＴＩ長で伝送される１つ前のＰＵＳＣＨに対応する電力調整値との和を、前記ＰＵＳＣＨの電力調整値とする。
【００３７】
すなわち、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とする。前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とする。
【００３８】
ＰＵＣＣＨ（物理アップリンク制御チャネル）に対し、下記方式１と方式２がある。
【００３９】
方式１：ダウンリンクデータのＴＴＩ長を区分する。
端末は、ダウンリンクＤＣＩフォーマット使用のＰＤＳＣＨスケジューリング用のダウンリンク制御チャネル、または、ダウンリンクＳＰＳ（Ｓｅｍｉ−Ｐｅｒｓｉｓｔｅｎｔ  Ｓｃｈｅｄｕｌｉｎｇ）リソースの解放を指示するダウンリンク制御チャネルを受信する。ここで、前記ＰＤＳＣＨまたは前記ダウンリンクＳＰＳリソースの解放を指示するダウンリンク制御チャネルのＡＣＫ／ＮＡＣＫフィードバック情報は、目標ＰＵＣＣＨで伝送される。前記ダウンリンク制御チャネルのＴＰＣフィールドに指示される電力調整値と、前記ＰＤＳＣＨまたは前記ダウンリンクＳＰＳリソースの解放を指示するダウンリンク制御チャネルと同一種類のＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とする。
【００４０】
すなわち、前記ＰＤＳＣＨまたは前記ダウンリンクＳＰＳリソースの解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第１ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とする。
前記ＰＤＳＣＨまたは前記ダウンリンクＳＰＳリソースの解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とする。
【００４１】
方式２：ＰＵＣＣＨのＴＴＩ長を区分する。
端末は、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信する。ここで、前記ＰＤＳＣＨまたは前記ダウンリンクＳＰＳリソースの解放を指示するダウンリンク制御チャネルのＡＣＫ／ＮＡＣＫフィードバックは、目標ＰＵＣＣＨで行われる。前記ダウンリンク制御チャネルのＴＰＣフィールドに指示される電力調整値と、前記ＰＵＣＣＨと同一種類のＴＴＩ長で伝送される１つ前のＰＵＣＣＨに対応する電力調整値との和を、前記ＰＵＣＣＨの電力調整値とする。
【００４２】
すなわち、前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とする。
前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とする。選択可能に、前記ＰＵＣＣＨのＴＴＩ長は、前記ダウンリンク制御チャネルで通知され、または、配置シグナリングによって通知され、または所定のルールによって通知される。
【００４３】
なお、前記ダウンリンク制御チャネルは、１ｍｓの長さで伝送されるチャネルであってもよく、１ｍｓより短い長さで伝送されるチャネルであってもよい。１ｍｓより短いＴＴＩで伝送される場合、上記ＰＵＣＣＨは、ｓＰＵＣＣＨであり、上記ＰＵＳＣＨは、ｓＰＵＳＣＨであり、上記ＰＤＳＣＨは、ｓＰＤＳＣＨである。
【００４４】
なお、前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである。
【００４５】
なお、上記異なるＴＴＩ長に対応するＴＰＣコマンドに対応する電力調整値は、ＬＴＥ  Ｒｅｌ−８／９／１０での定義を再利用してもよい。または、短縮ＴＴＩの場合、ＴＰＣコマンドと電力調整値との新規の対応関係を定義してもよい。
【００４６】
本実施例において、端末は、第１ＴＴＩ長に対応するＰＣパラメータに基づいて、第１ＴＴＩ長で伝送されるチャネルの送信電力を特定するとともに、第２ＴＴＩ長に対応するＰＣパラメータに基づいて、第２ＴＴＩ長で伝送されるチャネルの送信電力を特定することによって、第１ＴＴＩ長と第２ＴＴＩ長に独立なＰＣパラメータを配置することを実現し、チャネル推定の正確性を向上させ、データを信頼可能に伝送することを保証する。
【００４７】
本実施例において紹介するＰＣパラメータの独立的配置は、オープンループパラメータのうちセル専用パラメータの独立的配置、オープンループパラメータのうちユーザ固有パラメータの独立的配置およびクローズドループ修正係数の独立的配置を含むが、詳細を以下記載する。
【００４８】
１）オープンループパラメータのうちセル専用パラメータの独立的配置
仮に前記チャネルがＰＵＳＣＨであり、システム内のＴＴＩ長を１ｍｓと０．５ｍｓ、すなわちｎｏｒｍａｌ  ＴＴＩとｓｌｏｔ−ｂａｓｅｄ  ｓＴＴＩに区分する。セル固有パラメータのうちの
【数３】
2019520776.tif 000005
、パスロス補償因子
【数４】
2019520776.tif 000006
の少なくとも１つを区分する。ここで、
【数５】
2019520776.tif 000007
は、ＲＲＣによって配置されるセル専用パラメータであり、現在の伝送フォーマットに対応する。
【数６】
2019520776.tif 000008
を例として
【数７】
2019520776.tif 000009
に区分し、ＳＩＢ（システム情報ブロック）情報によってセルの全ての端末にブロードキャストする。端末は、ブロードキャストシグナリングを受信して、ｎｏｒｍａｌ  ＴＴＩとｓｌｏｔ−ｂａｓｅｄ  ｓＴＴＩの電力制御パラメータを取得する。すると、送信電力は、以下である。
【数８】
2019520776.tif 000010
【００４９】
仮に前記チャネルがＰＵＣＣＨであり、システム内のＴＴＩ長を１ｍｓと０．５ｍｓ、すなわちｎｏｒｍａｌ  ＴＴＩとｓｌｏｔ−ｂａｓｅｄ  ｓＴＴＩに区分する。セル固有パラメータのうちの
【数９】
2019520776.tif 000011
の少なくとも１つを区分する。
【数１０】
2019520776.tif 000012
を例として
【数１１】
2019520776.tif 000013
に区分し、ＳＩＢ（システム情報ブロック）情報によってセルの全ての端末にブロードキャストする。端末は、ブロードキャストシグナリングを受信して、ｎｏｒｍａｌ  ＴＴＩとｓｌｏｔ−ｂａｓｅｄ  ｓＴＴＩの電力制御パラメータを取得する。すると、送信電力は、以下である。
【数１２】
2019520776.tif 000014
【００５０】
２）オープンループパラメータのうちセル固有パラメータの独立的配置
仮に前記チャネルがＰＵＳＣＨであり、システム内のＴＴＩ長を１ｍｓと０．５ｍｓ、すなわちｎｏｒｍａｌ  ＴＴＩとｓｌｏｔ−ｂａｓｅｄ  ｓＴＴＩに区分する。ユーザ固有パラメータ
【数１３】
2019520776.tif 000015
の配置を行う。そのうちのＵＥ専用パラメータ
【数１４】
2019520776.tif 000016
を区分し、
【数１５】
2019520776.tif 000017
に区分し、ＲＲＣシグナリングによって端末に指示する。端末は、ＲＲＣシグナリングによって、ｎｏｒｍａｌ  ＴＴＩとｓｌｏｔ−ｂａｓｅｄ  ｓＴＴＩの電力制御パラメータを取得する。仮に前記チャネルがＰＵＳＣＨであると、下記式のようにその送信電力を計算する。
【数１６】
2019520776.tif 000018
【００５１】
仮に前記チャネルがＰＵＣＣＨであり、システム内のＴＴＩ長を１ｍｓと０．５ｍｓ、すなわちｎｏｒｍａｌ  ＴＴＩとｓｌｏｔ−ｂａｓｅｄ  ｓＴＴＩに区分し、ユーザ固有パラメータ
【数１７】
2019520776.tif 000019
の配置を行う。そのうちのＵＥ専用パラメータ
【数１８】
2019520776.tif 000020
の少なくとも１つを区分する。
【数１９】
2019520776.tif 000021
を例として
【数２０】
2019520776.tif 000022
に区分し、ＲＲＣシグナリングによって端末に指示する。端末は、ＲＲＣシグナリングによって、ｎｏｒｍａｌ  ＴＴＩとｓｌｏｔ−ｂａｓｅｄ  ｓＴＴＩの電力制御パラメータを取得する。仮に前記チャネルがＰＵＳＣＨであると、下記式のようにその送信電力を計算する。
【数２１】
2019520776.tif 000023
【００５２】
３）クローズドループ修正係数の独立的配置
仮に前記チャネルがＰＵＳＣＨであり、システム内のＴＴＩ長を１ｍｓと０．５ｍｓ、すなわちｎｏｒｍａｌ  ＴＴＩとｓｌｏｔ−ｂａｓｅｄ  ｓＴＴＩに区分する。異なるＴＴＩ長のクローズドループ修正係数を
【数２２】
2019520776.tif 000024
に区分する。
【００５３】
基地局は、サブフレームｉの中でｎｏｒｍａｌ  ＴＴＩで伝送されるＰＵＳＣＨ１をスケジューリングするためのダウンリンク制御チャネル１を送信する。ここで、ＴＰＣフィールドは、
【数２３】
2019520776.tif 000025
を指示する。基地局は、サブフレームｊの中でｓｌｏｔ−ｂａｓｅｄ  ｓＴＴＩで伝送されるＰＵＳＣＨ２をスケジューリングするためのダウンリンク制御チャネル２を送信する。ここで、ＴＰＣフィールドは、
【数２４】
2019520776.tif 000026
を指示する。
【００５４】
端末は、ダウンリンク制御チャネル１を受信し、ダウンリンク制御チャネル１によってスケジューリングされるＰＵＳＣＨ１のＴＴＩ長がｎｏｒｍａｌ  ＴＴＩであると特定し、前記ダウンリンク制御チャネル１のＴＰＣフィールドに基づいて
【数２５】
2019520776.tif 000027
値を取得し、当該値を、ｎｏｒｍａｌ  ＴＴＩで伝送される１つ前のＰＵＳＣＨに対応するＴＰＣによる電力調整値に累計し、すなわち
【数２６】
2019520776.tif 000028
である。それから下記式にしたがってＰＵＳＣＨ１の送信電力を特定する。端末は、ダウンリンク制御チャネル２を受信し、ダウンリンク制御チャネル２によってスケジューリングされるＰＵＳＣＨ２のＴＴＩ長がｓｌｏｔ−ｂａｓｅｄ  ｓＴＴＩであると特定し、前記ダウンリンク制御チャネル２のＴＰＣフィールドに基づいて
【数２７】
2019520776.tif 000029
値を取得し、当該値を、ｓｌｏｔ−ｂａｓｅｄ  ｓＴＴＩで伝送される１つ前のＰＵＳＣＨに対応するＴＰＣによる電力調整値に累計し、すなわち
【数２８】
2019520776.tif 000030
である。それから下記式にしたがってＰＵＳＣＨ２の送信電力を特定する。すなわち上記ＰＵＳＣＨ１とＰＵＳＣＨ２とは、ｆ（ｉ）を計算する際に、ｆ（ｉ−１）の値が異なり、前記伝送でＴＴＩ長別に累計した値である。
【数２９】
2019520776.tif 000031
【００５５】
仮に前記チャネルがＰＵＣＣＨであり、システム内のＴＴＩ長を１ｍｓと０．５ｍｓ、すなわちｎｏｒｍａｌ  ＴＴＩとｓｌｏｔ−ｂａｓｅｄ  ｓＴＴＩに区分する。異なるＴＴＩ長のクローズドループ修正係数を
【数３０】
2019520776.tif 000032
に区分する。
【００５６】
基地局は、サブフレームｉの中でｎｏｒｍａｌ  ＴＴＩで伝送されるＰＤＳＣＨ１をスケジューリングし、またはダウンリンクＳＰＳリソースの解放を指示するためのダウンリンク制御チャネル１を送信する。ここで、ＴＰＣフィールドは、
【数３１】
2019520776.tif 000033
を指示する。基地局は、サブフレームｊの中でｓｌｏｔ−ｂａｓｅｄ  ｓＴＴＩで伝送されるＰＤＳＣＨ２をスケジューリングし、またはダウンリンクＳＰＳリソースの解放を指示するためのダウンリンク制御チャネル２を送信する。ここで、ＴＰＣフィールドは、
【数３２】
2019520776.tif 000034
を指示する。
【００５７】
具体的な方式１：
端末は、ダウンリンク制御チャネル１を受信し、ダウンリンク制御チャネル１によってスケジューリングされるＰＤＳＣＨ１またはダウンリンクＳＰＳリソースの解放を指示するダウンリンク制御チャネルのＴＴＩ長がｎｏｒｍａｌ  ＴＴＩであると特定し、当該ＰＤＳＣＨ１またはダウンリンクＳＰＳリソースの解放を指示するダウンリンク制御チャネルのＡＣＫ／ＮＡＣＫフィードバック情報がＰＵＣＣＨ１で伝送されると特定する。前記ダウンリンク制御チャネル１のＴＰＣフィールドに基づいて
【数３３】
2019520776.tif 000035
値を取得し、当該値を、１つ前のＰＵＣＣＨに対応するＴＰＣによる電力調整値に累計し、かつ、当該１つ前のＰＵＣＣＨに搬送されるＡＣＫ／ＮＡＣＫフィードバック情報が、ｎｏｒｍａｌ  ＴＴＩで伝送されるＰＤＳＣＨまたはダウンリンクＳＰＳリソースの解放を指示するダウンリンク制御チャネルに対応する。すなわち
【数３４】
2019520776.tif 000036
である。それから下記式にしたがってＰＵＣＣＨ１の送信電力を特定する。端末は、ダウンリンク制御チャネル２を受信し、ダウンリンク制御チャネル２によってスケジューリングされるＰＤＳＣＨ２またはダウンリンクＳＰＳリソースの解放を指示するダウンリンク制御チャネルのＴＴＩ長がｓｌｏｔ−ｂａｓｅｄ  ｓＴＴＩであると特定し、当該ＰＤＳＣＨ２またはダウンリンクＳＰＳリソースの解放を指示するダウンリンク制御チャネルのＡＣＫ／ＮＡＣＫフィードバック情報がＰＵＣＣＨ２で伝送されると特定する。前記ダウンリンク制御チャネル２のＴＰＣフィールドに基づいて
【数３５】
2019520776.tif 000037
値を取得し、当該値を、１つ前のＰＵＣＣＨに対応するＴＰＣによる電力調整値に累計し、かつ、当該１つ前のＰＵＣＣＨに搬送されるＡＣＫ／ＮＡＣＫフィードバック情報が、ｓｌｏｔ−ｂａｓｅｄ  ｓＴＴＩで伝送されるＰＤＳＣＨまたはダウンリンクＳＰＳリソースの解放を指示するダウンリンク制御チャネルに対応する。すなわち
【数３６】
2019520776.tif 000038
である。それから下記式にしたがってＰＵＣＣＨ２の送信電力を特定する。すなわち上記ＰＵＳＣＨ１とＰＵＳＣＨ２とは、ｆ（ｉ）を計算する際に、ｆ（ｉ−１）の値が異なり、前記伝送でＴＴＩ長別に累計した値である。
【数３７】
2019520776.tif 000039
【００５８】
方式２：
端末は、ダウンリンク制御チャネル１を受信し、ダウンリンク制御チャネル１によってスケジューリングされるＰＤＳＣＨ１またはダウンリンクＳＰＳリソースの解放を指示するダウンリンク制御チャネルのＡＣＫ／ＮＡＣＫフィードバック情報を搬送するＰＵＣＣＨ１のＴＴＩ長がｎｏｒｍａｌ  ＴＴＩであると特定し、前記ダウンリンク制御チャネル１のＴＰＣフィールドに基づいて
【数３８】
2019520776.tif 000040
値を取得し、当該値を、ｎｏｒｍａｌ  ＴＴＩで伝送される１つ前のＰＵＣＣＨに対応するＴＰＣによる電力調整値に累計する。すなわち
【数３９】
2019520776.tif 000041
である。それから下記式にしたがってＰＵＣＣＨ１の送信電力を特定する。端末は、ダウンリンク制御チャネル２を受信し、ダウンリンク制御チャネル２によってスケジューリングされるＰＤＳＣＨ２またはダウンリンクＳＰＳリソースの解放を指示するダウンリンク制御チャネルのＡＣＫ／ＮＡＣＫフィードバック情報を搬送するＰＵＣＣＨ２のＴＴＩ長がｓｌｏｔ−ｂａｓｅｄ  ＴＴＩであると特定する。前記ダウンリンク制御チャネル２のＴＰＣフィールドに基づいて
【数４０】
2019520776.tif 000042
値を取得し、当該値を、ｓｌｏｔ−ｂａｓｅｄ  ＴＴＩで伝送される１つ前のＰＵＣＣＨに対応するＴＰＣによる電力調整値に累計する。すなわち
【数４１】
2019520776.tif 000043
である。それから下記式にしたがってＰＵＣＣＨ２の送信電力を特定する。すなわち上記ＰＵＳＣＨ１とＰＵＳＣＨ２とは、ｆ（ｉ）を計算する際に、ｆ（ｉ−１）の値が異なり、前記伝送でＴＴＩ長別に累計した値である。
【数４２】
2019520776.tif 000044
【００５９】
図３に示すアップリンク伝送電力制御装置３００は、配置情報を受信し、配置情報に基づいて、第１ＴＴＩ長に対応するＰＣパラメータおよび第２ＴＴＩ長に対応するＰＣパラメータを特定することに用いられる受信モジュール３０１と、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することに用いられる制御モジュール３０２とを含む。
【００６０】
選択可能に、本実施例において、前記第１ＴＴＩ長は、１つのサブフレームの正常ＴＴＩ長であり、前記第２ＴＴＩ長は、１つのサブフレームより短いＴＴＩ長である。または、前記第１ＴＴＩ長は、短縮ＴＴＩ長であり、前記第２ＴＴＩ長は、正常ＴＴＩ長である。または、前記第１ＴＴＩ長は、第１短縮ＴＴＩ長であり、前記第２ＴＴＩ長は、第２短縮ＴＴＩ長である。すなわち、ｎｏｒｍａｌとｓＴＴＩに区分するが、ｓＴＴＩについてさらに区分しない。さらにｓＴＴＩを区分してもよく、すなわち一種のｓＴＴＩ長と別のｓＴＴＩ長を独立に配置する。
【００６１】
選択可能に、本実施例において、前記受信モジュールは、さらに、ＲＲＣまたはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することに用いられる。第１電力オフセットパラメータ、第２電力オフセットパラメータは、ＵＥ−ｓｐｅｃｉｆｉｃ部分および／またはＣｅｌｌ−ｓｐｅｃｉｆｉｃ部分を含む。
【００６２】
選択可能に、本実施例において、ＰＵＳＣＨの場合、ＴＰＣ累計方式が用いられ、前記制御モジュールは、さらに、アップリングＤＣＩフォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とし、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることに用いられる。
【００６３】
選択可能に、本実施例において、前記制御モジュールは、さらに、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信する。ここで、前記ＰＤＳＣＨまたは前記ダウンリンクＳＰＳリソースの解放を指示するダウンリンク制御チャネルのＡＣＫ／ＮＡＣＫフィードバック情報は、目標ＰＵＣＣＨで伝送される。前記制御モジュールは、前記ＰＤＳＣＨまたは前記ダウンリンクＳＰＳリソースの解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソースの解放を指示するダウンリンク制御チャネルのＴＰＣフィールドに指示される電力調整値と、第１ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソースの解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送されるＰＤＳＣＨまたはダウンリンクＳＰＳリソースの解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることに用いられる。
【００６４】
選択可能に、本実施例において、前記制御モジュールは、さらに、ダウンリンクＤＣＩフォーマット使用のＰＤＳＣＨスケジューリング用のダウンリンク制御チャネル、または、ダウンリンクＳＰＳリソースの解放を指示するダウンリンク制御チャネルを受信する。ここで、前記ＰＤＳＣＨまたは前記ダウンリンクＳＰＳリソースの解放を指示するダウンリンク制御チャネルのＡＣＫ／ＮＡＣＫフィードバックは、目標ＰＵＣＣＨで行われる。上記目標ＰＵＣＣＨは、受信対象であるＰＤＳＣＨまたはＳＰＳリソースの解放を指示するＰＤＣＣＨが、電力特定すべき同一のＰＵＣＣＨでＡＣＫ／ＮＡＣＫフィードバックを行うことを表す。
前記制御モジュールは、前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とするが、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることに用いられる。
【００６５】
選択可能に、本実施例において、前記ＰＵＣＣＨのＴＴＩ長は、前記ダウンリンク制御チャネルで通知され、または、配置シグナリングによって通知され、または所定のルールによって通知される。
【００６６】
選択可能に、本実施例において、前記ＴＰＣは、前記ダウンリンクＤＣＩフォーマット使用の前記ＰＤＳＣＨスケジューリング用のダウンリンク制御チャネル、または、前記ダウンリンクＳＰＳリソースの解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである。
【００６７】
本実施例において、端末は、第１ＴＴＩ長に対応するＰＣパラメータに基づいて、第１ＴＴＩ長で伝送されるチャネルの送信電力を特定するとともに、第２ＴＴＩ長に対応するＰＣパラメータに基づいて、第２ＴＴＩ長で伝送されるチャネルの送信電力を特定することによって、第１ＴＴＩ長と第２ＴＴＩ長に独立なＰＣパラメータを配置することを実現し、チャネル推定の正確性を向上させ、データを信頼可能に伝送することを保証する。
【００６８】
図４に示すアップリンク伝送電力制御装置は、メモリ４０５からプログラムを読み取って、配置情報を受信し、配置情報に基づいて、第１ＴＴＩ長に対応するＰＣパラメータおよび第２ＴＴＩ長に対応するＰＣパラメータを特定するプロセスと、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定するプロセスの実行に用いられるプロセッサ４０４と、プロセッサ４０４の制御の下でデータを送受信することに用いられるトランシーバ４０１とを含む。
【００６９】
図４において、バスアーキテクチャ（バス４００で示す）は、任意数の相互接続するバスとブリッジを含む。バス４００は、プロセッサ４０４をはじめとする１つ又は複数のプロセッサとメモリ４０５をはじめとするメモリを含む各種類の回路を接続する。バス４００は、さらに周辺機器、レギュレーター、電力管理回路などの各種類のほかの回路を接続してもよい。これらは、いずれも本分野の公知事項であるため、本文においてさらなる記載をしない。バスインタフェース４０３により、バス４００とトランシーバ４０１の間にインタフェース提供する。トランシーバ４０１は、１つの部品であってもよく、複数の部品であってもよく、例えば複数の送信機と受信機を含み、伝送媒体でほかの各種類の装置と通信するユニットとして提供される。プロセッサ４０４によって処理されたデータは、アンテナ４０２から無線媒体で伝送される。さらに、アンテナ４０２は、データ受信もしてデータをプロセッサ４０４に送信する。
【００７０】
プロセッサ４０４は、バス４００と通常の処理を管理し、タイミング、周辺機器とのインタフェース、電圧調節、電源管理および他の制御機能など、各種類の機能も提供する。メモリ４０５は、プロセッサ４０４による操作実行に用いられるデータの記憶に用いられる。
【００７１】
選択可能に、プロセッサ４０４は、ＣＰＵ、ＡＳＩＣ、ＦＰＧＡまたはＣＰＬＤである。
【００７２】
選択可能に、前記第１ＴＴＩ長は、１つのサブフレームのＴＴＩ長であり、前記第２ＴＴＩ長は、１つのサブフレームより短いＴＴＩ長である。または、前記第１ＴＴＩ長は、短縮ＴＴＩ長であり、前記第２ＴＴＩ長は、正常ＴＴＩ長である。または、前記第１ＴＴＩ長は、第１短縮ＴＴＩ長であり、前記第２ＴＴＩ長は、第２短縮ＴＴＩ長である。
【００７３】
選択可能に、プロセッサ４０４は、さらに、ＲＲＣまたはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することに用いられる。
【００７４】
選択可能に、ＰＵＳＣＨの場合、ＴＰＣ累計方式が用いられ、プロセッサ４０４は、アップリングＤＣＩフォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とし、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることに用いられる。
【００７５】
選択可能に、プロセッサ４０４は、ダウンリンクＤＣＩフォーマット使用のＰＤＳＣＨスケジューリング用のダウンリンク制御チャネル、または、ダウンリンクＳＰＳリソース解放を指示するダウンリンク制御チャネルを受信する。ここで、前記ＰＤＳＣＨまたは前記ダウンリンクＳＰＳリソース解放を指示するダウンリンク制御チャネルのＡＣＫ／ＮＡＣＫフィードバック情報は、目標ＰＵＣＣＨで伝送される。プロセッサ４０４は、前記ＰＤＳＣＨまたは前記ダウンリンクＳＰＳリソース解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソース解放を指示するダウンリンク制御チャネルのＴＰＣフィールドに指示される電力調整値と、第１ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソース解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることに用いられる。
【００７６】
選択可能に、プロセッサ４０４は、ダウンリンクＤＣＩフォーマット使用のＰＤＳＣＨスケジューリング用のダウンリンク制御チャネル、または、ダウンリンクＳＰＳリソース解放を指示するダウンリンク制御チャネルを受信する。ここで、前記ＰＤＳＣＨまたは前記ダウンリンクＳＰＳリソース解放を指示するダウンリンク制御チャネルのＡＣＫ／ＮＡＣＫフィードバックは、目標ＰＵＣＣＨで行われる。プロセッサ４０４は、前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることに用いられる。
【００７７】
選択可能に、前記ＰＵＣＣＨのＴＴＩ長は、前記ダウンリンク制御チャネルで通知され、または、配置シグナリングによって通知され、または所定のルールによって通知される。
【００７８】
選択可能に、前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである。
【００７９】
本実施例において、端末は、第１ＴＴＩ長に対応するＰＣパラメータに基づいて、第１ＴＴＩ長で伝送されるチャネルの送信電力を特定するとともに、第２ＴＴＩ長に対応するＰＣパラメータに基づいて、第２ＴＴＩ長で伝送されるチャネルの送信電力を特定することによって、第１ＴＴＩ長と第２ＴＴＩ長に独立なＰＣパラメータを配置することを実現し、チャネル推定の正確性を向上させ、データを信頼可能に伝送することを保証する。
【００８０】
なお、明細書の全文にわたって言及されている「１つの実施例」や「一実施例」とは、実施例に関連する特定の特徴、構造または特性が本発明の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み合わせられることができる。
【００８１】
本発明の各実施例において、上記各プロセスの番号の大きさは、実行順の前後を意味しない。各プロセスの実行順は、その機能および内在的な論理によって確定されるものであり、本発明の実施例の実施プロセスに対しいっさい限定を配置しないと理解すべきである。
【００８２】
また、本明細書において、「システム」と「ネットワーク」は、常に互換して使用することができる。
【００８３】
本明細書において、「および／または」との用語は、関連対象の関連関係を表現するものに過ぎず、存在可能な３種類の関係を示す。例えば、Ａおよび／またはＢの場合、Ａのみ、ＡとＢの両方、Ｂのみの３種類の場合を示す。また、本明細書において、「／」の記号は、通常、前後の関連対象が「または」の関係であることを示す。
【００８４】
本願で提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００８５】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各配置部分の相互間の結合や直接結合や通信接続は、インタフェース、装置またはユニットを介した間接結合や通信接続であってもよく、電気的、機械的、または他の形式であってもよい。
【００８６】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【００８７】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【００８８】
以上記載されたのは、本開示の選択可能な実施形態である。なお、当業者は、本開示に記載されている原理を逸脱せずに様々な改良や修飾をすることもできる。これらの改良や修飾も、本開示の保護範囲内に含まれる。
【図１】
2019520776.tif 000045
【図２】
2019520776.tif 000046
【図３】
2019520776.tif 000047
【図４】
2019520776.tif 000048
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
端末が、配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することと、
前記端末が、前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することとを含むアップリンク伝送電力制御方法。
【請求項２】
前記第１ＴＴＩ長は、１つのサブフレームのＴＴＩ長であり、前記第２ＴＴＩ長は、１つのサブフレームより短いＴＴＩ長であり、
または、前記第１ＴＴＩ長は、短縮ＴＴＩ長であり、前記第２ＴＴＩ長は、正常ＴＴＩ長であり、
または、前記第１ＴＴＩ長は、第１短縮ＴＴＩ長であり、前記第２ＴＴＩ長は、第２短縮ＴＴＩ長である請求項１に記載の方法。
【請求項３】
前記端末が、配置情報を受信し、配置情報に基づいて、第１ＴＴＩ長に対応するＰＣパラメータおよび第２ＴＴＩ長に対応するＰＣパラメータを特定することは、
前記端末が、ＲＲＣ（Ｒａｄｉｏ  Ｒｅｓｏｕｒｃｅ  Ｃｏｎｔｒｏｌ）またはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することを含む請求項１に記載の方法。
【請求項４】
ＰＵＳＣＨ（Ｐｈｙｓｉｃａｌ  Ｕｐｌｉｎｋ  Ｓｈａｒｅｄ  Ｃｏｎｔｒｏｌ  Ｃｈａｎｎｅｌ）の場合、ＴＰＣ（Ｔｒａｎｓｍｉｔ  Ｐｏｗｅｒ  Ｃｏｎｔｒｏｌ）累計方式が用いられ、
端末が、配置情報を受信し、配置情報に基づいて、第１ＴＴＩ長に対応するＰＣパラメータおよび第２ＴＴＩ長に対応するＰＣパラメータを特定することは、
前記端末が、アップリングＤＣＩ（Ｄｏｗｎｌｉｎｋ  Ｃｏｎｔｒｏｌ  Ｉｎｆｏｒｍａｔｉｏｎ）フォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値し、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることを含む請求項１に記載の方法。
【請求項５】
端末が、配置情報を受信し、配置情報に基づいて、第１ＴＴＩ長に対応するＰＣパラメータおよび第２ＴＴＩ長に対応するＰＣパラメータを特定することは、
前記端末が、ダウンリンクＤＣＩフォーマット使用のＰＤＳＣＨ（Ｐｈｙｓｉｃａｌ  ｄｏｗｎｌｉｎｋ  Ｓｈａｒｅｄ  Ｃｏｎｔｒｏｌ  Ｃｈａｎｎｅｌ）スケジューリング用のダウンリンク制御チャネル、または、ダウンリンクＳＰＳ（Ｓｅｍｉ−Ｐｅｒｓｉｓｔｅｎｔ  Ｓｃｈｅｄｕｌｉｎｇ）リソース解放を指示するダウンリンク制御チャネルを受信し、前記ＰＤＳＣＨまたは前記ダウンリンクＳＰＳリソース解放を指示するダウンリンク制御チャネルのＡＣＫ／ＮＡＣＫフィードバック情報が目標ＰＵＣＣＨ（Ｐｈｙｓｉｃａｌ  Ｕｐｌｉｎｋ  Ｃｏｎｔｒｏｌ  Ｃｈａｎｎｅｌ）で伝送され、
前記ＰＤＳＣＨまたは前記ダウンリンクＳＰＳリソース解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソース解放を指示するダウンリンク制御チャネルのＴＰＣフィールドに指示される電力調整値と、第１ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソース解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることを含む請求項１に記載の方法。
【請求項６】
端末が、配置情報を受信し、配置情報に基づいて、第１ＴＴＩ長に対応するＰＣパラメータおよび第２ＴＴＩ長に対応するＰＣパラメータを特定することは、
前記端末が、ダウンリンクＤＣＩフォーマット使用のＰＤＳＣＨスケジューリング用のダウンリンク制御チャネル、または、ダウンリンクＳＰＳリソース解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバックが目標ＰＵＣＣＨで行われ、
前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることを含む請求項１に記載の方法。
【請求項７】
前記ＰＵＣＣＨのＴＴＩ長は、前記ダウンリンク制御チャネルで通知され、または、配置シグナリングによって通知され、または所定のルールによって通知される請求項６に記載の方法。
【請求項８】
前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである請求項５または６に記載の方法。
【請求項９】
配置情報を受信し、配置情報に基づいて、第１ＴＴＩ（Ｔｒａｎｓｍｉｓｓｉｏｎ  Ｔｉｍｅ  Ｉｎｔｅｒｖａｌ）長に対応するＰＣ（Ｐｏｗｅｒ  Ｃｏｎｔｒｏｌ）パラメータおよび第２ＴＴＩ長に対応するＰＣパラメータを特定することに用いられる受信モジュールと、
前記第１ＴＴＩ長に対応するＰＣパラメータに基づいて、第１ＴＴＩ長で伝送されるチャネルの送信電力を特定するとともに、前記第２ＴＴＩ長に対応するＰＣパラメータに基づいて、第２ＴＴＩ長で伝送されるチャネルの送信電力を特定することに用いられる制御モジュールとを含むアップリンク伝送電力制御装置。
【請求項１０】
前記第１ＴＴＩ長は、１つのサブフレームのＴＴＩ長であり、前記第２ＴＴＩ長は、１つのサブフレームより短いＴＴＩ長であり、
または、前記第１ＴＴＩ長は、短縮ＴＴＩ長であり、前記第２ＴＴＩ長は、正常ＴＴＩ長であり、
または、前記第１ＴＴＩ長は、第１短縮ＴＴＩ長であり、前記第２ＴＴＩ長は、第２短縮ＴＴＩ長であり、
前記受信モジュールは、さらに、
ＲＲＣ（Ｒａｄｉｏ  Ｒｅｓｏｕｒｃｅ  Ｃｏｎｔｒｏｌ）またはブロードキャストシグナリングを受信して、第１ＴＴＩ長に対応するパスロス補償因子および第１電力オフセットパラメータのうちの少なくとも１つを取得し、第２ＴＴＩ長に対応するパスロス補償因子および第２電力オフセットパラメータのうちの少なくとも１つを取得することに用いられる請求項９に記載の装置。
【請求項１１】
ＰＵＳＣＨ（Ｐｈｙｓｉｃａｌ  Ｕｐｌｉｎｋ  Ｓｈａｒｅｄ  Ｃｏｎｔｒｏｌ  Ｃｈａｎｎｅｌ）の場合、ＴＰＣ（Ｔｒａｎｓｍｉｔ  Ｐｏｗｅｒ  Ｃｏｎｔｒｏｌ）累計方式が用いられ、
前記制御モジュールは、さらに、
アップリングＤＣＩ（Ｄｏｗｎｌｉｎｋ  Ｃｏｎｔｒｏｌ  Ｉｎｆｏｒｍａｔｉｏｎ）フォーマット使用のＰＵＳＣＨスケジューリング用のダウンリンク制御チャネルを受信し、前記ダウンリンク制御チャネルによってスケジューリングされるＰＵＳＣＨのＴＴＩ長が前記第１ＴＴＩ長である場合、前記ダウンリンク制御チャネルのＴＰＣフィールドに指示される電力調整値と、前記第１ＴＴＩ長で伝送される１つ前のＰＵＳＣＨに対応する電力調整値との和を、前記ＰＵＳＣＨの電力調整値とし、前記ダウンリンク制御チャネルによってスケジューリングされるＰＵＳＣＨのＴＴＩ長が前記第２ＴＴＩ長である場合、前記ダウンリンク制御チャネルのＴＰＣフィールドに指示される電力調整値と、前記第２ＴＴＩ長で伝送される１つ前のＰＵＳＣＨに対応する電力調整値との和を、前記ＰＵＳＣＨの電力調整値とすることに用いられる請求項９に記載の装置。
【請求項１２】
前記制御モジュールは、さらに、
ダウンリンクＤＣＩフォーマット使用のＰＤＳＣＨ（Ｐｈｙｓｉｃａｌ  ｄｏｗｎｌｉｎｋ  Ｓｈａｒｅｄ  Ｃｏｎｔｒｏｌ  Ｃｈａｎｎｅｌ）スケジューリング用のダウンリンク制御チャネル、または、ダウンリンクＳＰＳ（Ｓｅｍｉ−Ｐｅｒｓｉｓｔｅｎｔ  Ｓｃｈｅｄｕｌｉｎｇ）リソース解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバック情報が目標ＰＵＣＣＨ（Ｐｈｙｓｉｃａｌ  Ｕｐｌｉｎｋ  Ｃｏｎｔｒｏｌ  Ｃｈａｎｎｅｌ）で伝送され、
前記ＰＤＳＣＨまたは前記ダウンリンクＳＰＳリソース解放を指示するダウンリンク制御チャネルのＴＴＩ長が前記第１ＴＴＩ長である場合、ダウンリンクＤＣＩフォーマット使用の前記ＰＤＳＣＨスケジューリング用のダウンリンク制御チャネル、または、ダウンリンクＳＰＳリソース解放を指示するダウンリンク制御チャネルのＴＰＣフィールドに指示される電力調整値と、第１ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＣＣＨの電力調整値とし、前記ＰＤＳＣＨまたはダウンリンクＳＰＳリソース解放を指示するダウンリンク制御チャネルのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送されるＰＤＳＣＨまたはダウンリンクＳＰＳリソース解放を指示するダウンリンク制御チャネルのＡＣＫ／ＮＡＣＫフィードバック情報を搬送する１つ前のＰＵＣＣＨに対応する電力調整値との和を、前記ＰＵＳＣＨの電力調整値とすることに用いられる請求項９に記載の装置。
【請求項１３】
前記制御モジュールは、さらに、
ダウンリンクＤＣＩフォーマット使用のＰＤＳＣＨスケジューリング用のダウンリンク制御チャネル、または、ダウンリンクＳＰＳリソース解放を指示するダウンリンク制御チャネルを受信し、ここで、前記ＰＤＳＣＨまたは前記ダウンリンクＳＰＳリソース解放を指示するダウンリンク制御チャネルのＡＣＫ／ＮＡＣＫフィードバックが目標ＰＵＣＣＨで行われ、
前記ＰＵＣＣＨのＴＴＩ長が前記第１ＴＴＩ長である場合、前記ダウンリンク制御チャネルのＴＰＣフィールドに指示される電力調整値と、第１ＴＴＩ長で伝送される１つ前のＰＵＣＣＨに対応する電力調整値との和を、前記ＰＵＣＣＨの電力調整値とし、前記ＰＵＣＣＨのＴＴＩ長が前記第２ＴＴＩ長である場合、ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのＴＰＣフィールドに指示される電力調整値と、第２ＴＴＩ長で伝送される１つ前のＰＵＣＣＨに対応する電力調整値との和を、前記ＰＵＳＣＨの電力調整値とすることに用いられる請求項９に記載の装置。
【請求項１４】
前記ＰＵＣＣＨのＴＴＩ長は、前記ダウンリンク制御チャネルで通知され、または、配置シグナリングによって通知され、または所定のルールによって通知される請求項１３に記載の装置。
【請求項１５】
前記ＰＵＣＣＨの場合、前記ＴＰＣは、前記ダウンリンクＤＣＩフォーマット使用の前記ＰＤＳＣＨスケジューリング用のダウンリンク制御チャネル、または、前記ダウンリンクＳＰＳリソース解放を指示するダウンリンク制御チャネルのうち、ＴＰＣがＡＣＫ／ＮＡＣＫリソースの指示に再利用されるダウンリンク制御チャネル以外のダウンリンク制御チャネルのＴＰＣである請求項１２または１３に記載の装置。
【国際調査報告】
2019520776.tif 000049
2019520776.tif 000050
2019520776.tif 000051
2019520776.tif 000052